(57)【特許請求の範囲】
【請求項１】
複数の段ボール片を互いに分離可能に重ねると共に、
前記段ボール片のライナーと中芯からなる各フルート端面を連続させることにより形成した爪研ぎ部と、
前記複数の段ボール片を重なり方向に結束するための結束手段と、
を備え、
前記結束手段は、前記複数の段ボール片に夫々設けた開口部を貫通する紙管と、前記紙管の両端に取り付けるキャップと、で構成されることを特徴とする猫の爪研ぎ器。
【請求項２】
前記キャップは、前記紙管に対して着脱自在に取り付けられていることを特徴とする請求項１に記載の猫の爪研ぎ器。
【請求項３】
前記複数の段ボール片のうち、重なり方向両端に位置する段ボール片の外側のライナー面に、第１の生地を縫い付けたことを特徴とする請求項１又は２に記載の猫の爪研ぎ器。
【請求項４】
前記キャップは、前記開口部の径よりもサイズが大きいフランジ部を備え、
前記複数の段ボール片のうち、重なり方向両端に位置する段ボール片の外側のライナー面に第１の生地を縫い付けると共に、前記キャップには前記フランジ部の外側面を覆うように第２の生地を取り付けたことを特徴とする請求項１又は２に記載の猫の爪研ぎ器。
【請求項５】
前記第１の生地は、前記段ボール片に設けられた前記開口部と重なるように、重ね代が設けられていることを特徴とする請求項４に記載の猫の爪研ぎ器。
【発明の詳細な説明】
【技術分野】
【０００１】
本発明は、猫が爪を研ぐときに使用する猫の爪研ぎ器に関するものである。
【背景技術】
【０００２】
一般に、猫は、本能的に爪を研ぐ習性があり、また特に家庭内でペットとして飼われている猫はストレスを発散させるために、家の柱、壁、床、家具、カーテン、カーペット等を爪で激しく引っ掻いて損傷させることがある。
【０００３】
そこで、従来、猫の爪による家具や室内の損傷を防止するために、複数の段ボール片を接着剤で貼り合わせ、各段ボール紙のフルート端面を連続させて爪研ぎ部を形成した猫の爪研ぎ器が利用されている。
【０００４】
例えば、特許文献１には、段ボール紙を接着剤等によって積層接着した猫の爪研ぎ器において、その積層断面に合成樹脂を含浸したことを特徴とする猫の爪研ぎ器が開示されている。
【０００５】
また、接着剤で貼り合わせた多数の段ボール紙からなる爪研ぎ器を、猫がその上でくつろぎ易いように例えば、なだらかなＭ字状にしたものや（非特許文献１）、趣向を変えてワニの形状にしたものなどが、インターネットで販売されている（非特許文献２）。
【０００６】
しかしながら、従来の猫の爪研ぎ器は、所望の形状に型抜きした複数の段ボール片のライナー面に接着剤を塗布して段ボール片同士を接合させる工程か、あるいは先に複数の段ボール紙を接合しておいたものを所要の形状のカットする工程が不可欠であり、これらの点で製造時にコストアップとなる問題があった。
【０００７】
また、従来の猫の爪研ぎ器は、完成時には接着剤によって一体化されているため、フルート端面を連続させた爪研ぎ部のうち、一部の領域のみが継続使用により損傷した場合でも、一体化された段ボール片の全部を交換する必要があり、経済的でないという課題もあった。
【０００８】
また更に、従来の猫の爪研ぎ器は、各段ボール片を接合する糊付け工程で使用した接着剤が爪研ぎ面に漏出しているため、猫が爪研ぎをする際に、爪研き面に露出している接着剤をなめてしまう虞があり、そのため飼い主が使用に不安を抱くという課題もあった。
【先行技術文献】
【特許文献】
【０００９】
【特許文献１】特開平９−３０８４０４号公報
【非特許文献】
【００１０】
【非特許文献１】“Pets Global.com、商品「CP-028」（M-Shape）のページ”、［online］、Dongguan Colour Pack Printing Co.,Ltd、［平成２７年１０月２２日検索］、インターネット＜URL：http://www.petsglobal.com/website/product_6923/M-shape_corrugated_cat_scratcher.html＞
【非特許文献２】“Pets Global.com、商品「CP-025」（crocodile-Shape）のページ”、［online］、Dongguan Colour Pack Printing Co.,Ltd、［平成２７年１０月２２日検索］、インターネット＜URL：http://www.petsglobal.com/website/product_6924/CP-025_e-flute_cat_scratcher.html＞
【発明の概要】
【発明が解決しようとする課題】
【００１１】
本発明が解決しようとする課題は、従来の猫の爪研ぎ器は、接合面に接着剤を塗布して段ボール片同士を接合する構成のため、製造時にコストアップが避けられなかった点である。
また、付随的な課題としては、損傷した部分だけを交換することができず全取り替えとなるため使用時においても経済的でない点や、接着剤に対する飼い主の不安があった点などが挙げられる。
【課題を解決するための手段】
【００１２】
上記の課題を解決するため、本発明の猫の爪研ぎ器は、
複数の段ボール片を互いに分離可能に重ねると共に、
前記段ボール片のライナーと中芯からなる各フルート端面を連続させることにより形成した爪研ぎ部と、
前記複数の段ボール片を重なり方向に結束するための結束手段と、
を備え、
前記結束手段は、前記複数の段ボール片に夫々設けた開口部を貫通する紙管と、前記紙管の両端に取り付けるキャップと、で構成されることを最も主要な特徴としている。
【発明の効果】
【００１３】
本発明は、複数の段ボール片を貼り合わせるのではなく、互いに分離可能に重ねておいて、別途、結束手段により結束することで一体的に固定する構成を採用したので、製造時に接着剤を塗布して段ボール片同士を接合させる工程は不要となり、製造コストを低減できる。
【図面の簡単な説明】
【００１４】
【図１】第１実施例の猫の爪研ぎ器の全体構成を示す図である。
【図２】第１実施例の猫の爪研ぎ器において、結束手段のキャップを取り外し、結束していた複数の段ボール片を分離した状態の図である。
【図３】第１実施例の猫の爪研ぎ器において、複数の段ボール片のうち、重なり方向両端に位置する２つの段ボール片のうちの１つを示す図であり、（ａ）は化粧紙を貼り付けた側の正面図、（ｂ）は（ａ）を裏側から見た背面図、（ｃ）は底面図の部分拡大図であって、ライナーと中芯からなるフルート端面を示す図である。
【図４】結束手段の説明図であり、（ａ）は紙管を斜め方向から見た図、（ｂ）は紙管と紙管の両端に嵌合させるキャップを横方向から見た図である。
【図５】キャップの構成を示す図であり、（ａ）は斜め方向から見た図、（ｂ）は平面方向から見た図、（ｃ）は底面方向から見た図である。
【図６】第２実施例の猫の爪研ぎ器の全体構成を示す図である。
【図７】第２実施例の猫の爪研ぎ器において、複数の段ボール片のうち、重なり方向両端に位置する２つの段ボール片のうちの１つを示す図であり、（ａ）は第１の生地を縫い付けた側の正面図、（ｂ）は（ａ）を裏側から見た背面図、（ｃ）は底面図の部分拡大図であって、ライナーと中芯からなるフルート端面を示す図である。
【図８】キャップに取り付けた第２の生地の構成を示す図であり、（ａ）は斜視方向から見た図、（ｂ）は平面方向から見た図、（ｃ）は底面方向から見た図である。
【図９】開口部と重なる領域に設ける重ね代を示す図であり、（ａ）は第１の生地を縫い付けた側から見た図、（ｂ）は（ａ）を裏側から見た図である。
【図１０】各実施例で用いた段ボール片を型抜きする際のレイアウト図である。
【発明を実施するための最良の形態】
【００１５】
本発明は、複数の段ボール片のフルート端面を連続させることにより爪研ぎ部を形成する猫の爪研ぎ器において、接着剤を塗布して段ボール片同士を接合させる工程をなくすという目的を達成するために、複数の段ボール片を互いに分離可能に重ねておいて、別途、結束手段を用いて複数の段ボール片を重なり方向に結束する構成を採用した。
【実施例】
【００１６】
以下、本発明を実施するための最良の形態を、図１〜図１０を用いて説明する。
【００１７】
図１に示す第１実施例の猫の爪研ぎ器Ｔ１は、例えば４０個の段ボール片１１をそれぞれ接合して一体化するのではなく、分離可能な状態で幅方向に重ねて並べ、各段ボール片１のライナーと波状の中芯からなるフルート端面が連続するように配置して、爪研ぎ部２を構成したものである。爪研ぎ部２は、成長した大人の猫が使用する場合においても十分な面積が確保されている。
【００１８】
３ａは、複数の段ボール片１を重なり方向に結束するための結束手段を構成する部材の１つであるキャップを示している。キャップ３ａは、図１では見えない反対側の面にも存在している。また、４は、最も外側に位置する段ボール片１のライナー面に貼り付けた化粧紙を示している。なお、段ボール片１の「重なり方向」とは、猫の爪研ぎ器Ｔ１の幅方向（図１の例で言えば段ボール片４０個分の厚みの方向）と同義である。
【００１９】
図２は、一方のキャップ３ａを取り外し、結束していた複数の段ボール片１を分離した状態の図である。本実施例の猫の爪研ぎ器Ｔ１は、図２に示すように、各段ボール片１に設けた開口部１ａを貫通する紙管３ｂに対し、キャップ３ａが着脱自在に取り付けられているので、例えば爪研ぎによる損傷が激しい中央の爪研ぎ部２１の部分のみを新しいものと交換し、損傷が左程進んでいない両端の爪研ぎ部２２，２３の部分は使用を継続するといったことが可能であり、紙資源を大切にすることができる。
【００２０】
また、従来の爪研ぎ器は、段ボール片を接合する糊付け工程で使用した接着剤が爪研ぎ面に漏出しているため、猫が爪研ぎをする際に、爪研き面に露出している接着剤をなめてしまう虞があり、そのためユーザが使用に不安を抱くという課題があったが、本発明の爪研ぎ器Ｔ１は、上記糊付け工程を行わないので、猫に害を及ぼす虞は少なくなり、ユーザが安心して使用できる。
【００２１】
図３は、複数の段ボール片１のうち、重なり方向両端に位置する２つの段ボール片のうちの１つを示す図である。本発明は、段ボール片と段ボール片の間には接着剤を使用しない点に特徴を有するものであるが、第１実施例においては、重なり方向両端に位置する２つの段ボール片のみ、外側のライナーに化粧紙４を貼り付けている。なお、本実施例で用いた段ボール片１は、図３（ａ）及び（ｂ）に示すように、孫悟空の筋斗雲の形状をモチーフにしたものであるため、例えば金色の鮮やかな化粧紙４を使用し、筋斗雲のイメージを演出している。
【００２２】
図３（ｃ）は、段ボール片１を横方向から見た図であり、上下２つのライナー１ｂと波状の中芯１ｃからなるフルート端面１ｄを示している。前述の爪研ぎ部２は、このようなフルート端面１ｄが幅方向に連続して構成されたものである。
【００２３】
図４（ａ）は、図１の紙管３ｂを取り出して全体を図示したものである。紙管３ｂは、円筒状の部材であり、両端は開口３ｂ１となっている。図４（ｂ）は、キャップ３ａと紙管３ｂからなる本実施例の結束手段３を示したものである。すなわち、結束手段３は、複数の段ボール片１に夫々設けた開口部１ａを貫通する紙管３ｂと、前記紙管３ｂの両端の開口３ｂ１に取り付けるキャップ３ａとで構成される。
【００２４】
図５は、樹脂製のキャップ３ａの構造を示す図である。キャップ３ａは、段ボール片１の開口部１ａの径よりもサイズが大きい円盤状のフランジ部３ａ１を有すると共に、紙管３ｂの開口３ｂ１の内径に丁度嵌まる外径サイズからなる嵌合部３ａ２を有している。よって、複数の段ボール片１の開口部１ａに紙管３ｂを貫通させた状態で、紙管３ｂの両端の開口３ｂ１にキャップ３ａの嵌合部３ａ２を押し込むと、複数の段ボール片１は、フランジ部３ａ１の出張りによって中央に向けて押さえられた状態が維持される。
【００２５】
３ａ３は、紙管３ｂへの嵌め込み時に適度な負荷をかけてキャップ３ａが容易に離脱しないようにするために、嵌合部３ａ２の外側面に４箇所設けられた凸部（リブ）を示している。また、３ａ４は、キャップ３ａを紙管３ｂの両端から押し込む際に、紙管３ｂの内部の空気が逃げやすいように、フランジ部３ａ１の中央に設けられた孔を示している。このような孔３ａ４が設けられていると、キャップの着脱が容易となる。
【００２６】
次に、図６を参照しながら、第２実施例の猫の爪研ぎ器Ｔ２の構成を説明する。第２実施例も、例えば４０個の段ボール片１１を使用する点、段ボール片１同士を貼り合わせるのではなく分離可能な状態で幅方向に重ねて並べ、段ボール片１のフルート端面が連続するように配置して爪研ぎ部２を構成する点は、第１実施例と同じであり、これらの点において変わるところはない。
【００２７】
第２実施例が第１実施例と異なる点は、複数の段ボール片１のうち、重なり方向両端に位置する段ボール片１の外側のライナー面に、所望のデザイン（例えば唐草模様）が施された第１の生地５を縫い付けた点である。
【００２８】
すなわち、第２実施例は、重なり方向両端に位置する２つの段ボール片１の外側のライナー面についても、第１の生地５を縫合によって取り付けるので、接着剤を使用しないという本発明の方針を貫徹できる。
【００２９】
図７（ａ），（ｂ）の縫合線５ａに示すように、第１の生地５は、筋斗雲の形状からなる段ボール片１の周縁部から少し内側の位置をミシンを使って縫合することにより、段ボール片１のライナー面に、しっかりと縫い付けることができる。
【００３０】
図８は、第２実施例におけるキャップ３ａの構造を示す図である。第２実施例では、キャップ３ａは、段ボール片１の開口部１ａの径よりもサイズが大きいフランジ部３ａ１を備え、複数の段ボール片１のうち、重なり方向両端に位置する段ボール片１の外側のライナー面に第１の生地５を縫い付けると共に、キャップ３ａには、図８に示すように、フランジ部３ａ１の外側面を覆うように第２の生地６が取り付けられている。
【００３１】
すなわち、第２の生地６には、第１の生地５と同様、ユーザの好みに合った任意のデザインを施すことができるので、図６に示すように、同じ生地を使用して統一感を持たせることができるのは勿論、第２の生地６のデザインを変えた複数のキャップ３ａを準備しておけば、ユーザがデザインのバリエーションを楽しむこともできる。
【００３２】
また、第１の生地５には、図９に示すように、段ボール片１に設けられた開口部１ａの開口範囲と重なるように、重ね代５ｂが設けられている。
【００３３】
従って、複数の段ボール片１の開口部１ａに紙管３ｂを貫通させた状態で、紙管３ｂの両端の開口３ｂ１にキャップ３ａの嵌合部３ａ２を押し込むと、嵌合部３ａ２は、重ね代５ｂの部分を引き込むようにして紙管３ｂの開口３ｂ１と嵌め合される。
【００３４】
つまり、この重ね代５ｂが存在することにより、第２実施例においては、第１実施例以上にしっかりとキャップ３ａを紙管３ｂに取り付けることが出来ると共に、第１の生地５は、皺が生じることはなく、ピンと張られた美しい状態でライナー面に取り付けることができる。
【００３５】
図１０は、段ボール片１を型抜きする際のレイアウトの一例を示したものである。上記実施例で使用した筋斗雲をモチーフにしたデザインは、図１０に示すように上下反転させたものを左右に交互に配置すれば、紙資源の無駄が少なく段ボールを効率的に使用することができる。
【００３６】
本発明は上記の例に限らず、各請求項に記載された技術的思想の範疇であれば、適宜実施の形態を変更しても良いことは言うまでもない。
【００３７】
例えば、猫が爪を研いだときに発生する紙粉が、各段ボール片のフルート端面の小孔を通じて爪研ぎ器の下面に達し床を汚すのを防止するために、爪研ぎ器の下面の下に紙粉を受けるためのトレイを設けても良い。
【００３８】
また、上記実施例では、結束手段として、紙管に樹脂製のキャップを押し込む例を示したが、他の手段を用いて結束しても良い。例えば、先端にネジが切られた樹脂製の管を使用し、螺子式のキャップを取り付ける構成であっても良い。
【００３９】
また、上記実施例では、複数の段ボール片に対し、円筒状の紙管を２つ貫通させてキャップで結束する例を示したが、結束手段を構成する部材の形状や数は、実施例に示したものに限らない。
【符号の説明】
【００４０】
Ｔ１，Ｔ２  猫の爪研ぎ器
１  段ボール片
１ａ  開口部
１ｂ  ライナー  
１ｃ  中芯
１ｄ  フルート端面
２  爪研ぎ部
３  結束手段
３ａ  キャップ
３ａ１  フランジ部
３ｂ  紙管
５  第１の生地
５ｂ  重ね代
６  第２の生地
【図１】
0006564306.tif 000002
【図２】
0006564306.tif 000003
【図３】
0006564306.tif 000004
【図４】
0006564306.tif 000005
【図５】
0006564306.tif 000006
【図６】
0006564306.tif 000007
【図７】
0006564306.tif 000008
【図８】
0006564306.tif 000009
【図９】
0006564306.tif 000010
【図１０】
0006564306.tif 000011